(57)【要約】【課題】組立式表示設備およびその画面制御方法とシステムを提供する。【解決手段】この組立式表示設備は、コンピュータシステムに設けられ、少なくとも１つのグラフィックコントローラを有し、映像データを表示装置に出力して表示する。この画面制御方法のステップは、先ず、画面設定プログラムを提供し、コンピュータシステムにインストールする。次に、画面設定プログラムを起動し、設定コマンドを受信する。この設定コマンドは、映像データに対応する画面内容の特定ブロック情報を含む。その後、設定コマンドに基づき、グラフィックドライバを制御し、制御信号を生成し、グラフィックコントローラに出力する。最後に、グラフィックコントローラが、制御信号に基づき、表示装置に出力する映像データに対応する画面内容の特定ブロックを取り込み、特定ブロック画面を縮小拡大処理する。【選択図】図７
2010286811.tif 000002
【特許請求の範囲】
【請求項１】
コンピュータシステムに設けられ、少なくとも１つのグラフィックコントローラを有し、映像データを表示装置に出力して表示する組立式表示設備に適用する画面制御方法であって、
画面設定プログラムを提供し、コンピュータシステムにインストールするステップと、
該画面設定プログラムを起動し、該映像データに対応する画面内容の特定ブロック情報を含む設定コマンドを受信するステップと、
該設定コマンドに基づき、グラフィックドライバを制御し、制御信号を生成して該グラフィックコントローラに出力するステップと、
該グラフィックコントローラが、該制御信号に基づき、該表示装置に出力する該映像データに対応する画面内容の該特定ブロックを取り込み、該特定ブロック画面を縮小拡大処理するステップと、
を含む画面制御方法。
【請求項２】
該画面設定プログラムのステップの前に、
マルチメディア再生プログラムを提供し、コンピュータシステムにインストールするステップと、
該マルチメディア再生プログラムを起動し、映像放映コマンドを受信するステップと、
該映像放映コマンドに基づき、該グラフィックドライバを制御し、該グラフィックコントローラを駆動し、該映像データを該表示装置に出力して表示するステップと、
をさらに含む請求項１に記載の画面制御方法。
【請求項３】
組立表示制御プログラムを提供し、該コンピュータシステムにインストールするステップと、
該組立表示制御プログラムを起動し、該マルチメディア再生プログラムおよび該画面設定プログラムを連帯して起動するステップと、
をさらに含む請求項２に記載の画面制御方法。
【請求項４】
該コンピュータシステムにはオペレーティングシステムがインストールしてあり、該グラフィックドライバは該オペレーティングシステムにインストールされ、該オペレーティングシステムはアプリケーションインターフェースを有し、該グラフィックドライバを制御し、該制御信号を生成し、該グラフィックコントローラに出力するステップにおいて、
該画面設定プログラムが該設定コマンドの受信に応答し、システム呼び出しを生成し、該アプリケーションインターフェースにより、該グラフィックドライバを制御し、該制御信号を生成し、該グラフィックコントローラに出力するステップをさらに含む請求項１に記載の画面制御方法。
【請求項５】
該グラフィックコントローラは、ブロック取り込み縮小拡大モジュールで該映像データに対し該特定ブロックを取り出し、該特定ブロック画面を縮小拡大処理する請求項１に記載の画面制御方法。
【請求項６】
該設定コマンドは、該特定ブロックの測位点座標と、ブロック寸法情報とを含む請求項１に記載の画面制御方法。
【請求項７】
コンピュータシステムに設けられ、少なくとも１つの表示装置を制御して表示する画面制御システムであって、
該表示装置に結合されたグラフィックコントローラと、
コンピュータシステムにインストールされ、グラフィックコントローラを駆動するグラフィックドライバと、
該コンピュータシステムにインストールされ、該グラフィックドライバを制御して、該グラフィックコントローラを駆動し、映像データを該表示装置に出力して表示するマルチメディア再生プログラムと、
該コンピュータシステムにインストールされ、該映像データに対応する画面内容の特定ブロック情報を含む設定コマンドを受信し、該画面設定プログラムが、該設定コマンドに基づき、該グラフィックドライバを制御し、制御信号を生成して該グラフィックコントローラに出力する画面設定プログラムと、
を含み、該グラフィックコントローラが、該制御信号に基づき、該表示装置に出力する該映像データに対応する画面内容の該特定ブロックを取り込み、該特定ブロック画面を縮小拡大処理する画面制御システム。
【請求項８】
該コンピュータシステムにはオペレーティングシステムがインストールしてあり、該グラフィックドライバは該オペレーティングシステムにインストールされ、該オペレーティングシステムはアプリケーションインターフェースを有し、該画面設定プログラムが該設定コマンドの受信に応答し、システム呼び出しを生成し、該アプリケーションインターフェースにより、該グラフィックドライバを制御し、該制御信号を生成し、該グラフィックコントローラに出力する請求項７に記載の画面制御システム。
【請求項９】
該コンピュータシステムにインストールされ、該マルチメディア再生プログラムおよび該画面設定プログラムを連帯して起動する組立表示制御プログラムをさらに含む請求項７に記載の画面制御システム。
【請求項１０】
該グラフィックコントローラが、
該映像データを一時的に格納するバッファメモリと、
該バッファメモリにアクセスして該映像データを取得し、該映像データを原始フレームデータに復号化し、該バッファメモリに出力して一時的に格納するデコーダと、
該バッファメモリにアクセスして該原始フレームデータを取得し、該制御信号に基づき、該原始フレームデータを標的フレームデータに変換し、該バッファメモリに出力して一時的に格納するブロック取り込み縮小拡大モジュールと、
該バッファメモリにアクセスして該標的フレームデータを取得し、該標的フレームデータを符号化後に該表示装置に出力するエンコーダと、
を含む請求項７に記載の画面制御システム。
【請求項１１】
該グラフィックコントローラが、該制御信号に基づき、該特定ブロック画面を該表示装置に適合した全画面に展開する請求項７に記載の画面制御システム。
【請求項１２】
該設定コマンドは、該特定ブロックの測位点座標と、ブロック寸法情報とを含む請求項７に記載の画面制御システム。
【請求項１３】
コンピュータシステムに設けられた組立式表示設備であって、
少なくとも１つの表示装置と、
画面制御システムとを含み、画面制御システムは、
該表示装置に結合されたグラフィックコントローラと、
コンピュータシステムにインストールされ、グラフィックコントローラを駆動するグラフィックドライバと、
該コンピュータシステムにインストールされ、該グラフィックドライバを制御して、該グラフィックコントローラを駆動し、映像データを該表示装置に出力して表示するマルチメディア再生プログラムと、
該コンピュータシステムにインストールされ、該映像データに対応する画面内容の特定ブロック情報を含む設定コマンドを受信し、該画面設定プログラムが、該設定コマンドに基づき、該グラフィックドライバを制御し、制御信号を生成して該グラフィックコントローラに出力する画面設定プログラムと、
を含み、該グラフィックコントローラが、該制御信号に基づき、該表示装置に出力する該映像データに対応する画面内容の該特定ブロックを取り込み、該特定ブロック画面を縮小拡大処理する組立式表示設備。
【請求項１４】
該コンピュータシステムにはオペレーティングシステムがインストールしてあり、該グラフィックドライバは該オペレーティングシステムにインストールされ、該オペレーティングシステムはアプリケーションインターフェースを有し、該画面設定プログラムが該設定コマンドの受信に応答し、システム呼び出しを生成し、該アプリケーションインターフェースにより、該グラフィックドライバを制御し、該制御信号を生成し、該グラフィックコントローラに出力する請求項１３に記載の組立式表示設備。
【請求項１５】
該制御システムが、
該コンピュータシステムにインストールされ、該マルチメディア再生プログラムおよび該画面設定プログラムを連帯して起動する組立表示制御プログラムをさらに含む請求項１３に記載の組立式表示設備。
【請求項１６】
該グラフィックコントローラが、
該映像データを一時的に格納するバッファメモリと、
該バッファメモリにアクセスして該映像データを取得し、該映像データを原始フレームデータに復号化し、該バッファメモリに出力して一時的に格納するデコーダと、
該バッファメモリにアクセスして該原始フレームデータを取得し、該制御信号に基づき、該原始フレームデータを標的フレームデータに変換し、該バッファメモリに出力して一時的に格納するブロック取り込み縮小拡大モジュールと、
該バッファメモリにアクセスして該標的フレームデータを取得し、該標的フレームデータを符号化後に該表示装置に出力するエンコーダと、
を含む請求項１３に記載の組立式表示設備。
【請求項１７】
該グラフィックコントローラが、該制御信号に基づき、該特定ブロック画面を該表示装置に適合した全画面に展開する請求項１３に記載の組立式表示設備。
【請求項１８】
該設定コマンドは、該特定ブロックの測位点座標と、ブロック寸法情報とを含む請求項１３に記載の組立式表示設備。
【発明の詳細な説明】
【技術分野】
【０００１】
本発明は、表示設備の画面制御に属し、特に組立式表示設備の画面制御方法とシステムに関する。
【背景技術】
【０００２】
ビデオウォールは、視覚化情報を再生する組立式表示設備であり、複数の表示装置を積み重ねて大型画面表示ブロックを構成するものである。空港、駅、金融機関、大型ショッピングセンター、屋外看板などの拠点で、この設備が常に採用され、リアルタイムな情報または広告映像が放映されている。
【０００３】
従来の組立式表示設備は、一般に、コンピュータシステムによって構成される。各表示装置は、ビデオインターフェースを介してコンピュータホストのグラフィックコントローラに接続され、マルチメディア再生プログラムを実行して、映像データを表示装置に出力して表示する。従来のグラフィックコントローラは、表示装置を制御して全画面で映像データを再生することしかできない。分割画面を再生する必要がある場合、フロントエンドのマルチメディア再生プログラムにより、映像処理を事前に完了しておく必要がある。コンピュータハードウェアリソースの影響によって制限され、１つのコンピュータシステムでは、往々にして、複数の表示装置の画面分割演算処理および再生を同時に完了することができない。
【０００４】
多様化した映像ソースとタイプをサポートし、表示装置の種類に対応してビデオ形式を変換し、必要に応じていつでも映像データを分割、縮小、拡大し、画面作成演算処理を行い、画面構成方式を柔軟に制御するなどの基本機能を達成するため、一般に、複数台のコンピュータによって各表示装置の画面表示と映像処理を個別に制御する必要がある。すべてのコンピュータは、さらに１台のビデオウォールサーバが画面統合管理作業の責任を負う。しかしながら、こうした制御フレームワークは、複雑であるだけでなく、莫大な構築コストと管理メンテナンスコストがかかる。
【０００５】
現在、業界で解決が必要とされている主な課題は、組立式表示設備の画面制御フレームワークをいかにして簡略化し、その構築コストを下げ、その後の管理メンテナンスの便利さを向上させるかである。本願の発明者は、目下の各種技術の進歩に鑑み、ビデオカードなどの各項のコンピュータ周辺制御部品の機能を含め、完全なものとするために日々努力している。そのため、本願を提出し、サーバ制御フレームワークにより画面分割を達成する束縛から脱し、公知のフレームワークによってもたらされる多くの欠点をなくす。
【発明の概要】
【発明が解決しようとする課題】
【０００６】
本発明の目的は、画面設定プログラムの提供を介して、グラフィックコントローラを制御し、表示装置に出力される映像データに対応する画面内容の特定ブロックを取り込み、特定ブロック画面を縮小拡大処理する組立式表示設備およびその画面制御方法とシステムを提供することである。１つのコンピュータシステムを使用して表示装置の画面分割表示を完了することができ、システム構築コストを下げるだけでなく、管理メンテナンスの便利さを向上させることができる。
【課題を解決するための手段】
【０００７】
本発明は、コンピュータシステムに設けられた組立式表示設備に適用する画面制御方法を開示する。この組立式表示設備は、少なくとも１つのグラフィックコントローラを有し、映像データを表示装置に出力して表示する。この画面制御方法のステップは、先ず、画面設定プログラムを提供し、コンピュータシステムにインストールする。次に、画面設定プログラムを起動し、設定コマンドを受信する。この設定コマンドは、映像データに対応する画面内容の特定ブロック情報を含む。その後、設定コマンドに基づき、グラフィックドライバを制御し、制御信号を生成し、グラフィックコントローラに出力する。最後に、グラフィックコントローラが、制御信号に基づき、表示装置に出力する映像データに対応する画面内容の特定ブロックを取り込み、特定ブロック画面を縮小拡大処理する。
【０００８】
本発明はまた、コンピュータシステムに設けられ、少なくとも１つの表示装置を制御して表示する画面制御システムを開示する。この画面制御システムは、グラフィックコントローラと、グラフィックドライバと、マルチメディア再生プログラムと、画面設定プログラムとを含む。グラフィックコントローラは、表示装置に結合されている。グラフィックドライバは、コンピュータシステムにインストールされ、グラフィックコントローラを駆動する。マルチメディア再生プログラムは、コンピュータシステムにインストールされ、グラフィックドライバを制御して、グラフィックコントローラを駆動し、映像データを表示装置に出力し、表示する。画面設定プログラムは、コンピュータシステムにインストールされ、設定コマンドを受信する。この設定コマンドは、映像データに対応する画面内容の特定ブロック情報を含む。画面設定プログラムは、設定コマンドに基づき、グラフィックドライバを制御し、制御信号を生成してグラフィックコントローラに出力する。グラフィックコントローラは、制御信号に基づき、表示装置に出力する映像データに対応する画面内容の特定ブロックを取り込み、特定ブロック画面を縮小拡大処理する。
【０００９】
本発明は、コンピュータシステムに設けられ、少なくとも１つの表示装置と、画面制御システムとを含み、画面制御システムは、グラフィックコントローラと、グラフィックドライバと、マルチメディア再生プログラムと、画面設定プログラムとを含む組立式表示設備をさらに開示する。グラフィックコントローラは、表示装置に結合されている。グラフィックドライバは、コンピュータシステムにインストールされ、グラフィックコントローラを駆動する。マルチメディア再生プログラムは、コンピュータシステムにインストールされ、グラフィックドライバを制御して、グラフィックコントローラを駆動し、映像データを表示装置に出力し、表示する。画面設定プログラムは、コンピュータシステムにインストールされ、設定コマンドを受信する。この設定コマンドは、映像データに対応する画面内容の特定ブロック情報を含む。画面設定プログラムは、設定コマンドに基づき、グラフィックドライバを制御し、制御信号を生成してグラフィックコントローラに出力する。グラフィックコントローラは、制御信号に基づき、表示装置に出力する映像データに対応する画面内容の特定ブロックを取り込み、特定ブロック画面を縮小拡大処理する。
【発明の効果】
【００１０】
これによって、本発明で開示する組立式表示設備およびその画面制御方法とシステムは、画面設定プログラムで外部の設定コマンドを受信し、グラフィックドライバにより、グラフィックコントローラを制御し、表示装置に出力される映像データに対応する画面内容の特定ブロックを取り込み、特定ブロック画面を縮小拡大処理する。このようにして、映像分割処理をグラフィックコントローラに分散し、中央処理装置の演算の負担を軽減し、１つのコンピュータシステムを使用して表示装置の画面分割表示を完了する機能を達成することができる。システム構築コストを下げるだけでなく、管理メンテナンスの便利さを向上させることができる。
【００１１】
以上の内容と以下の詳細な説明および図面は、いずれも本発明で所定の目的を達成するためにとられる方式、手段および効果をさらに説明するためのものである。本発明のその他の目的および長所については、以下の説明および図面において、詳しく述べる。
【図面の簡単な説明】
【００１２】
【図１】本発明の組立式表示設備およびその画面制御システムの具体的な実施例のハードウェアシステム構造概略図である。
【図２】本発明の組立式表示設備の画面制御システムの具体的な実施例のソフトウェアシステム構造概略図である。
【図３】本発明のグラフィックコントローラのシステム構造概略図である。
【図４】本発明の１つの表示装置の画面表示変換のアプリケーション概略図である。
【図５】本発明の組立式表示設備の表示装置の画面表示変換のアプリケーション概略図である。
【図６】本発明の組立式表示設備の画面制御方法のステップ流れ図である。
【図７】本発明の組立式表示設備の画面制御方法の具体的な実施例のステップ流れ図である。
【図８】本発明の組立式表示設備の画面制御システムのもう１つの具体的な実施例のソフトウェアシステム構造概略図である。
【発明を実施するための形態】
【００１３】
本発明は、組立式表示設備の画面制御システムと方法を提供する。前記組立式表示設備は、一般にいうビデオウォールであり、複数の表示装置を有し、矩形、方形のマトリックスまたはその他の特定の形状に配列して積み重ね、そのスクリーンで大型画面を構成するものである。
【００１４】
先ず、図１および図２を同時に参照する。図１は、本発明の組立式表示設備およびその画面制御システムの具体的な実施例のハードウェアシステム構造概略図であり、図２は、組立式表示設備の画面制御システムの具体的な実施例のソフトウェアシステム構造概略図である。本願の組立式表示設備１０は、コンピュータシステムに設けられ、そのソフトウェア、ハードウェアリソースを利用して特定の機能を実現するものである。
【００１５】
図１に示すとおり、組立式表示設備１０のハードウェア構造には、複数個の表示装置３１、３２、３３、３４と、画面制御システム２０とを含む。画面制御システム２０は、コンピュータホストにおいて構築し、中央処理装置２１と、システムチップセット２２と、システムメモリ２３、映像源２４と、複数個のグラフィックコントローラ２５１、２５２、２５３、２５４と、複数個のビデオインターフェース２７１、２７２、２７３、２７４とを含む。
【００１６】
中央処理装置２１は、コンピュータシステムの演算処理の核であり、サウスブリッジとノースブリッジのシステムチップセット２２のバスを経てグラフィックコントローラ２５１、２５２、２５３、２５４に結合される。システムメモリ２３は、中央処理装置２１に合わせて処理プログラムを実行し、データを一時的に格納するために用いられる。映像源２４とは、映像データソースをいい、ファイルシステム、光ディスク、ハードディスクなどの記憶媒体とすることも、外部の映像データベースの通信ポートに接続することもできる。映像データは、動画圧縮符号化規格（例：ＭＰＥＧ−１、ＭＰＥＧ−２、ＭＰＥＧ−４、Ｈ．２６４など）に適合した圧縮動画ビットストリーム形式で格納され、伝送される。動画圧縮符号化規格において、動画像を複数の画面群に分け、画面群はフレームデータからなる。映像データの転送時に、圧縮符号化規格に基づき、フレームデータを符号化して量子化し、既定の画面更新頻度で送信される。グラフィックコントローラ２５１、２５２、２５３、２５４は、それぞれビデオインターフェース２７１、２７２、２７３、２７４を介して表示装置３１、３２、３３、３４に結合し、映像源２４から伝送される映像データを受信する。原始フレームデータに復号化還元し、画面縮小拡大処理を行った後、個別の対応するビデオインターフェース２７１、２７２、２７３、２７４に適合する信号形式に再符号化し、表示装置３１、３２、３３、３４に出力して表示する。
【００１７】
特に説明すべきことは、組立式表示設備１０は、１つまたは複数の表示装置を含み、ここでは、４つの表示装置３１、３２、３３、３４を図例とし、画面制御システム２０は、４つのグラフィックコントローラ２５１、２５２、２５３、２５４およびビデオインターフェース２７１、２７２、２７３、２７４に対応して提供するが、本願における各素子の数を制限するためのものではないことである。また、図例において、グラフィックコントローラ２５１、２５２、２５３、２５４は、システムチップセット２２に結合しているが、実務において、グラフィックコントローラは、中央処理装置またはシステムチップの中に統合することも、複数のグラフィックコントローラをパッケージ化して１つのモジュールを製作することも可能である。
【００１８】
次に、図２の画面制御システム２０のソフトウェア構造を参照する。図２に示すとおり、コンピュータシステムには、オペレーティングシステム４１、およびマルチメディア再生プログラム４２と画面設定プログラム４３とがインストールされている。グラフィックドライバ４４１、４４２、４４３、４４４は、オペレーティングシステム４１にインストールされており、グラフィックコントローラ２５１、２５２、２５３、２５４を個別に駆動するために用いられる。
【００１９】
マルチメディア再生プログラム４２は、コンピュータシステムにインストールされたアプリケーションである。起動後にユーザインターフェースを展開し、映像放映コマンドを受信することができる。これによって、映像放映コマンドに基づき、グラフィックドライバ４４１、４４２、４４３、４４４を制御してグラフィックコントローラ２５１、２５２、２５３、２５４を駆動し、映像データを表示装置３１、３２、３３、３４に出力して表示することができる。画面設定プログラム４３は、コンピュータシステムにインストールされたもう１つのアプリケーションであり、映像データに対応する画面内容の特定ブロック取り込みを制御するために用いられる。画面設定プログラム４３の起動後に、ユーザインターフェースを展開し、設定コマンドを受信することができる。この設定コマンドは、取り込みたい特定ブロックの詳細情報を含む。画面設定プログラム４３は、さらに設定コマンドに基づき、グラフィックドライバ４４１、４４２、４４３、４４４を制御して、制御信号をグラフィックコントローラ２５１、２５２、２５３、２５４に出力する。グラフィックコントローラ２５１、２５２、２５３、２５４は、制御信号に基づき、表示装置３１、３２、３３、３４に出力される映像データに対応する画面内容の特定ブロックを個別に取り込み、個別の表示装置のスクリーンのアスペクト比に合わせ、特定ブロック画面を縮小拡大処理し、特定ブロック画面をフルスクリーン表示に展開する。
【００２０】
オペレーティングシステム４１は、マルチメディア再生プログラム４２および画面設定プログラム４３と、グラフィックドライバ４４１、４４２、４４３、４４４との間のコミュニケーションインターフェースとしてのアプリケーションインターフェース４１０を有する。マルチメディア再生プログラム４２が映像放映コマンドを受信すると、前記映像放映コマンドの受信に応答し、システム呼び出しを生成する。アプリケーションインターフェース４１０によりグラフィックドライバ４４１、４４２、４４３、４４４を制御してグラフィックコントローラ２５１、２５２、２５３、２５４を駆動し、映像データを表示装置３１、３２、３３、３４に出力して表示する。同様に、画面設定プログラム４３が設定コマンドを受信すると、前記設定コマンドの受信に応答し、システム呼び出しを生成し、アプリケーションインターフェース４１０によりグラフィックドライバ４４１、４４２、４４３、４４４を制御して制御信号を生成し、グラフィックコントローラ２５１、２５２、２５３、２５４に出力する。
【００２１】
また、画面設定プログラム４３の設計の詳細については、コンピュータプログラミングに習熟する者であれば、本願の機能説明により、プログラム言語を選定し、異なる仕様のグラフィックドライバの専属呼び出しコマンドに合わせ、適当なアプリケーションを作成し、コンピュータシステムに搭載して運用し、必要な機能を達成することができるため、ここでは、画面設定プログラム４３の編纂について詳しく述べない。
【００２２】
図３は、グラフィックコントローラ２５１のシステム構造概略図である。図３に示すとおり、グラフィックコントローラ２５１は、バッファメモリ２５１０と、デコーダ２５１１と、ブロック取り込み縮小拡大モジュール２５１２と、エンコーダ２５１３とを含む。バッファメモリ２５１０は、データの一時的な格納に用いられ、グラフィックコントローラ２５１専属の独立したメモリとすることも、システムメモリ２３を共有するメモリリソースとすることもできる。
【００２３】
映像源２４からの映像データは、先ずバッファメモリ２５１０に一時的に格納される。この映像データは、圧縮符号化を経たフレームデータである。デコーダ２５１１は、バッファメモリ２５１０から映像データを取得し、映像データを原始フレームデータに復号化し、バッファメモリ２５１０に戻して一時的に格納する。ブロック取り込み縮小拡大モジュール２５１２は、グラフィックドライバ４４１が送信した制御信号に基づき、バッファメモリ２５１０から原始フレームデータを取得し、制御信号に含まれる情報により、映像データに対応する画面内容の特定ブロックを取り込む。特定ブロックを画面縮小拡大処理し、表示画面に合わせて展開して拡大することにより、原始フレームデータを標的フレームデータに変換し、バッファメモリ２５１０に戻して一時的に格納する。エンコーダ２５１３は、バッファメモリ２５１０にアクセスし、ビデオインターフェース２７１の伝送信号形式に合わせて、標的フレームデータを符号化した後、表示装置３１に出力する。
【００２４】
従来のグラフィックコントローラは、ブロック取り込み縮小拡大モジュールを備えておらず、単に画面縮小拡大機能を有しているのみで、表示装置のスクリーンのアスペクト比に合わせてフレームデータを縮小拡大し、映像データに対応する画面内容が表示装置のスクリーンの画面に適合するようにする。
【００２５】
本願のグラフィックコントローラ２５１、２５２、２５３、２５４は、個別のブロック取り込み縮小拡大モジュールを備え、制御信号の要求に基づき、個別のブロック取り込み縮小拡大モジュールで、原始フレームデータを標的フレームデータに変換する。これによって、映像データに対応する画面内容の特定ブロックを取り込み、表示装置のスクリーンのアスペクト比に合わせ、特定ブロック画面を縮小拡大処理し、表示装置のスクリーンに合わせて画面を出力する。映像画面分割作業は、グラフィックコントローラ２５１、２５２、２５３、２５４により分散処理し、中央処理装置の演算負荷を軽減する。これによって、１つのコンピュータシステムで分割画面表示を達成する機能を実現することができる。
【００２６】
ブロック取り込み縮小拡大モジュールは、デジタル信号処理技術を利用して、画面の特定ブロック取り込みや画面縮小拡大などの映像処理手順を完了する。画面特定ブロック取り込みの具体的な実施方式は、ブロック取り込み縮小拡大モジュールが、バッファメモリにおいて対応する特定ブロックのデータを選び取り、選び取ったデータを縮小拡大処理して標的フレームデータとするというものである。画面縮小拡大の具体的な実施方式は、フィルタを利用して映像縮小拡大処理機能を達成することができる。
【００２７】
次に、図４および図５を参照する。図４は、本発明の１台の表示装置の画面表示を変換したアプリケーション概略図である。図５は、本発明の組立式表示設備の表示装置の画面表示を変換したアプリケーション概略図である。
【００２８】
図４に示すとおり、表示装置３１は、スクリーン高Ｈ、スクリーン幅Ｗを有する。表示装置３１の画面内容の左上４分の１の領域の特定ブロック３１０を選定し、表示装置３１を制御し、この特定ブロック３１０を全画面表示すると、画面設定プログラム４３を介して、特定ブロック３１０の測位点座標、ブロック寸法などの情報を入力し、設定コマンドを生成することができる。一般に、表示画面は、画面左上の位置を（０，０）とし、画素値でスクリーン高Ｈとスクリーン幅Ｗを表す。この実施例では、画面設定プログラム４３のユーザインターフェースを介して測位座標点（０，０）およびブロック寸法（Ｗ／２×Ｈ／２）などの情報を入力し、設定コマンドを生成する。グラフィックコントローラ２５１を制御し、映像データに対応する画面内容の特定ブロック３１０を取り込み、特定ブロック３１０を展開して拡大し、表示装置３１のスクリーンに合わせて全画面出力する。この設定変換手順を経た後、表示装置３１の画面を制御し、特定ブロック３１０の画面を全画面表示することができる。
【００２９】
図５に示すように、同じ道理に基づき、それぞれ表示装置３２、３３、３４の映像データに対応する画面内容の右上、左下、右下の４分の１のブロックを個別の表示装置の特定ブロックとして選定し、その個別の測位座標（Ｗ／２，０）、（０，Ｈ／２）、（Ｗ／２，Ｈ／２）および同じブロック寸法（Ｗ／２×Ｈ／２）を入力することができる。このようにして、表示装置３１、３２、３３、３４を制御し、共同で完全な映像データ画面を表示することができる。
【００３０】
次に、組立式表示設備における表示装置の画面表示制御に適用する、本願の組立式表示設備の画面制御方法について説明する。図６は、組立式表示設備の画面制御方法のステップ流れ図である。うち、システム構造は、図１および図２を同時に参照する。本発明は、コンピュータシステムに設けられた組立式表示設備１０に適用する画面制御方法を開示する。組立式表示設備１０は、グラフィックコントローラ２５１、２５２、２５３、２５４を有し、映像データを表示装置３１、３２、３３、３４に出力して表示する。図６に示すとおり、この画面制御方法は、次のステップを含む。
【００３１】
先ず、画面設定プログラム４３を提供し、コンピュータシステムにインストールする（ステップＳ１００）。
【００３２】
次に、画面設定プログラム４３を起動し、設定コマンドを受信する。この設定コマンドは、前記映像データに対応する画面内容の特定ブロック情報を含む（ステップＳ１０２）。
【００３３】
その後、設定コマンドに基づき、グラフィックドライバ４４１、４４２、４４３、４４４のうちの１つまたは複数のグラフィックドライバを制御し、制御信号を生成して対応するグラフィックコントローラ２５１、２５２、２５３、２５４に出力する（ステップＳ１０４）。
【００３４】
最後に、グラフィックコントローラ２５１、２５２、２５３、２５４のうち、制御信号を受信したグラフィックコントローラが、制御信号に基づき、個別の表示装置に出力された映像データに対応する画面内容の特定ブロックを取り込み、特定ブロック画面を縮小拡大処理し、表示装置のスクリーンの画面に適合するようにする（ステップＳ１０６）。
【００３５】
ステップＳ１０２の前に、先ずマルチメディア再生プログラム４２を提供し、コンピュータシステムにインストールする。次に、マルチメディア再生プログラム４２を起動し、映像放映コマンドを受信する。その後、映像放映コマンドに基づき、グラフィックドライバ４４１、４４２、４４３、４４４を制御してグラフィックコントローラ２５１、２５２、２５３、２５４を駆動し、映像データを表示装置３１、３２、３３、３４に出力して表示する。
【００３６】
図７は、本発明の組立式表示設備の画面制御方法の具体的な実施例のステップ流れ図である。この実施例において、先ずマルチメディア再生プログラム４２を起動することにより、映像放映コマンドを受信する（ステップＳ２００）。次に、映像放映コマンドに基づき、グラフィックドライバ４４１、４４２、４４３、４４４を制御し、グラフィックコントローラ２５１、２５２、２５３、２５４を駆動し、映像データを表示装置３１、３２、３３、３４に出力して表示する（ステップＳ２０２）。その後、グラフィックドライバ４４１、４４２、４４３、４４４がマルチメディア再生プログラム４２に応答し、グラフィックコントローラ２５１、２５２、２５３、２５４を駆動する（ステップＳ２０４）。続いて、グラフィックコントローラ２５１、２５２、２５３、２５４が表示装置３１、３２、３３、３４を制御し、映像データを全画面表示する（ステップＳ２０６）。
【００３７】
また、画面設定プログラムを起動し、映像データに対応する画面内容の特定ブロック情報を含む設定コマンドを受信する（ステップＳ２１０）。次に、設定コマンドに基づき、グラフィックドライバ４４１、４４２、４４３、４４４のうちの１つまたは複数を駆動し、グラフィックドライバを制御して制御信号を生成し、対応するグラフィックコントローラに出力する（ステップＳ２１２）。その後、設定コマンドに関与するグラフィックドライバが画面設定プログラム４３に応答し、制御信号を生成して、対応するグラフィックコントローラに出力する（ステップＳ２１４）。
【００３８】
さらに、ステップＳ２０６の後、制御信号を受信したか否かをグラフィックコントローラが判断する。制御信号を受信した場合、制御信号に基づき、個別のブロック取り込み縮小拡大モジュールで、個別の表示装置に出力される映像データに対応する画面内容の特定ブロックを取り込み、この特定ブロック画面を縮小拡大処理し、表示装置を制御して、この特定ブロック画面を全画面放映する。映像データを受信しなかった場合も、表示装置を制御して、映像データを全画面表示する（ステップＳ２１６）。最後に、ステップＳ２１６の判断結果に基づき、表示装置の画面を制御して表示する（ステップＳ２１８）。
【００３９】
最後に、図8は、本発明の組立式表示設備の画面制御システムのもう１つの具体的な実施例のソフトウェアシステムの構造概略図である。この実施例において、画面制御システム５０は、コンピュータシステムにインストールされたアプリケーションであり、マルチメディア再生プログラム４２と画面設定プログラム４３とを連帯して起動させ、画面設定の操作プロセスをさらに軽快なものとすることが可能な、組立表示制御プログラム５１をさらに含む。
【００４０】
以上の実施例の詳細な説明を介して、本発明の組立式表示設備およびその画面制御方法とシステムは、画面分割表示処理をグラフィックコントローラに分散することにより、中央処理装置の演算負荷を軽減することが可能なことが分かる。これによって、１つのコンピュータシステムを使用して画面分割表示を完了する機能を達成することができ、システム構築コストを下げるだけでなく、管理メンテナンスの便利さを向上させることができる。
【００４１】
しかしながら、以上の内容は、本発明の具体的な実施例の詳細な説明および図面でしかなく、本発明を制限するためのものではない。本発明のすべての範囲は、特許請求の範囲を基準とする。当業者が本発明の分野内において簡単に思いつくことが可能な変更または修正は、いずれも本願において定義する特許請求の範囲に含まれるものとする。
【符号の説明】
【００４２】
１０  組立式表示設備
２０、４０、５０  画面制御システム
２１  中央処理装置
２２  システムチップセット
２３  システムメモリ
２４  映像源
２５１、２５２、２５３、２５４  グラフィックコントローラ
２５１０  バッファメモリ
２５１１  デコーダ
２５１２  ブロック取り込み縮小拡大モジュール
２５１３  エンコーダ
２７１、２７２、２７３、２７４  ビデオインターフェース
３１、３２、３３、３４  表示装置
３１０  特定ブロック
４１  オペレーティングシステム
４１０  アプリケーションインターフェース
４２  マルチメディア再生プログラム
４３  画面設定プログラム
４４１、４４２、４４３、４４４  グラフィックドライバ
５０  組立画面制御プログラム
Ｈ  スクリーン高
Ｗ  スクリーン幅
Ｓ１００〜Ｓ２１８  各ステップの流れ
【図１】
2010286811.tif 000003
【図２】
2010286811.tif 000004
【図３】
2010286811.tif 000005
【図４】
2010286811.tif 000006
【図５】
2010286811.tif 000007
【図６】
2010286811.tif 000008
【図７】
2010286811.tif 000009
【図８】
2010286811.tif 000010